(57)【要約】【課題】圧力損失を低減して送風手段の低出力化を図る。【解決手段】本発明の脱臭フィルタは、各吸着材４が、容器２内において、幅方向及び奥行き方向のそれぞれで隣接するもの同士の間に隙間を形成し、該隙間からなる奥行き方向の空気の通路がジグザグとなるように配設されている。従って、圧力損失が少なく、送風手段の低出力化を図ることが可能である。また、臭気成分を含む空気は、容器２内を通過する際に、幅方向にて隣接する吸着材４同士の間に形成される隙間からなる奥行き方向の空気の通路、すなわちジグザグの通路のみならず、奥行き方向にて隣接する吸着材４同士の間に形成される隙間からなる幅方向の空気の通路にも流入するため、空気と吸着材４との接触率が高く、脱臭効率を高めることができる。【選択図】  図６
2004298316.tif 000002
【特許請求の範囲】
【請求項１】
脱臭フィルタであって、空気中に含まれる臭気成分を吸着する複数の板状吸着材を備えると共に、該各吸着材が、筒状の容器内において、幅方向及び奥行き方向のそれぞれで隣接するもの同士の間に隙間を形成し、該隙間からなる奥行き方向の空気の通路がジグザグとなるように配設されていることを特徴とする脱臭フィルタ。
【請求項２】
前記各吸着材は、一面又は両面に多数の凹凸を有することを特徴とする請求項１に記載の脱臭フィルタ。
【請求項３】
前記各吸着材は、厚さ方向に貫通する多数の孔を有することを特徴とする請求項１に記載の脱臭フィルタ。
【請求項４】
前記各吸着材を個々に差し込み可能であって、前記各吸着材の配置に合わせてレイアウトされた複数の差込孔を有し、前記容器内に、高さ方向に互いに所定間隔を置いて配設される複数のプレートを具備することを特徴とする請求項１から３のいずれか１項に記載の脱臭フィルタ。
【請求項５】
前記容器が、それぞれ所定の幅と奥行きを有する正面視で略コ字状に形成された２つの枠体からなり、該各枠体同士を分離可能に結合させることにより構成されていることを特徴とする請求項１から４のいずれか１項に記載の脱臭フィルタ。
【請求項６】
前記各吸着材は、パルプ成分からなる基材に、臭気成分を吸着する粒状又は粉末の多孔性鉱物を担持させてなる多孔性鉱物含有成形体から構成されていることを特徴とする請求項１から５のいずれか１項に記載の脱臭フィルタ。
【請求項７】
請求項１から６のいずれか１項に記載の脱臭フィルタを具備することを特徴とする空気清浄装置。
【発明の詳細な説明】
【０００１】
【産業上の利用分野】
本発明は、空気中に含まれる臭気成分を取り除く脱臭フィルタ及び該脱臭フィルタを具備する空気清浄装置に関する。
【０００２】
【従来の技術】
従来、吸着作用を有する吸着材により、空気中に含まれる臭気成分を吸着させて脱臭する手段を備えた空気清浄装置が知られている（例えば、下記特許文献１参照）。このような空気清浄装置における脱臭手段は、吸着材を筒状の容器に充填し、この容器内に空気を通過させることにより、空気と吸着材との接触率を高めて脱臭効率を向上させるようにしていた。
【０００３】
【特許文献１】
特開２００２−３５５３００号公報
【０００４】
【発明が解決しようとする課題】
しかしながら、上記のような従来の脱臭手段では、その表面が空気の流れ方向に略正対するように吸着材が配置され、また、吸着材自体が積層体からなることも相俟って、容器内を空気が通過する際に大きな圧力損失が発生してしまい、十分な風量を得るためには、ファンなどの送風手段として高出力のものが必要となる。このため、装置が大型化し易く、また騒音や振動も大きくなってしまうものであった。
【０００５】
本発明は上記事情に鑑みなされたものであり、圧力損失を低減して送風手段の低出力化を図ることができると共に、脱臭効率が高い脱臭フィルタ及び該脱臭フィルタを具備する空気清浄装置を提供することを課題とする。
【０００６】
【課題を解決するための手段】
上記の課題を解決するため、請求項１に記載の本発明では、脱臭フィルタであって、空気中に含まれる臭気成分を吸着する複数の板状吸着材を備えると共に、該各吸着材が、筒状の容器内において、幅方向及び奥行き方向のそれぞれで隣接するもの同士の間に隙間を形成し、該隙間からなる奥行き方向の空気の通路がジグザグとなるように配設されていることを特徴とする脱臭フィルタを提供する。請求項２に記載の本発明では、前記各吸着材は、一面又は両面に多数の凹凸を有することを特徴とする請求項１に記載の脱臭フィルタを提供する。
請求項３に記載の本発明では、前記各吸着材は、厚さ方向に貫通する多数の孔を有することを特徴とする請求項１に記載の脱臭フィルタを提供する。
請求項４に記載の本発明では、前記各吸着材を個々に差し込み可能であって、前記各吸着材の配置に合わせてレイアウトされた複数の差込孔を有し、前記容器内に、高さ方向に互いに所定間隔を置いて配設される複数のプレートを具備することを特徴とする請求項１から３のいずれか１項に記載の脱臭フィルタを提供する。
請求項５に記載の本発明では、前記容器が、それぞれ所定の幅と奥行きを有する正面視で略コ字状に形成された２つの枠体からなり、該各枠体同士を分離可能に結合させることにより構成されていることを特徴とする請求項１から４のいずれか１項に記載の脱臭フィルタを提供する。
請求項６に記載の本発明では、前記各吸着材は、パルプ成分からなる基材に、臭気成分を吸着する粒状又は粉末の多孔性鉱物を担持させてなる多孔性鉱物含有成形体から構成されていることを特徴とする請求項１から５のいずれか１項に記載の脱臭フィルタを提供する。
請求項７に記載の本発明では、請求項１から６のいずれか１項に記載の脱臭フィルタを具備することを特徴とする空気清浄装置を提供する。
【０００７】
（作用）
請求項１に記載の本発明によれば、複数の板状吸着材が、筒状の容器内において、幅方向及び奥行き方向のそれぞれで隣接するもの同士の間に隙間を形成し、該隙間からなる奥行き方向の空気の通路がジグザグとなるように配設されているため、圧力損失が少なく、送風手段の低出力化を図ることが可能である。また、臭気成分を含む空気は、容器内を通過する際に、幅方向にて隣接する吸着材同士の間に形成される隙間からなる奥行き方向の空気の通路、すなわちジグザグの通路のみならず、奥行き方向にて隣接する吸着材同士の間に形成される隙間からなる幅方向の空気の通路にも流入するため、空気と吸着材との接触率が高く、脱臭効率を高めることができる。
請求項２又は３に記載の本発明によれば、各吸着材は、一面若しくは両面に多数の凹凸を有し、又は厚さ方向に貫通する多数の孔を有するため、これにより、各吸着材の表面積が拡大され、空気と吸着材との接触率をより高めることができる。
請求項４に記載の本発明によれば、各吸着材を個々に差し込み可能であって、各吸着材の配置に合わせてレイアウトされた複数の差込孔を有し、容器内に、高さ方向に互いに所定間隔を置いて配設される複数のプレートを具備するため、かかるプレートにより、各吸着材を安定保持することができる。また、プレートの差込孔に各吸着材を差し込むだけで、容器内に各吸着材を容易に配設することができる。
請求項５に記載の本発明によれば、容器が、それぞれ所定の幅と奥行きを有する正面視で略コ字状に形成された２つの枠体からなり、該各枠体同士を分離可能に結合させることにより構成されているため、吸着材の交換作業を容易なものとすることができる。
請求項６に記載の本発明によれば、各吸着材は、パルプ成分からなる基材に、臭気成分を吸着する粒状又は粉末の多孔性鉱物を担持させてなる多孔性鉱物含有成形体から構成されたものであるため、多孔性鉱物により、臭気成分のみならず空気中に含まれる油水成分も吸着し得る。また、基材がパルプ成分からなることにより、保形性がよく、さらに基材自体も油水の吸着作用を有するため、脱臭のみならず油水の除去に優れた効果を発揮し得る。
請求項７に記載の本発明によれば、圧力損失を低減して送風手段の低出力化を図ることができると共に、脱臭効率が高い空気清浄装置を提供することが可能となる。
【０００８】
【発明の実施の形態】
以下、本発明の実施形態を図面に基づいてさらに詳しく説明する。
図１は、本発明の一の実施形態に係る脱臭フィルタを示す斜視図である。この図に示したように、本実施形態に係る脱臭フィルタ１は、容器２、プレート３及び吸着材４を有して構成される。
【０００９】
容器２としては、一端側に吸気側開口部（吸気口）２ａ、他端側に排気側開口部（排気口）２ｂを有する筒状のものが用いられる。筒の形状及び全体構造は限定されるものではないが、容器２としては、図１及び図２に示したように、それぞれ所定の幅と奥行きを有する正面視で略コ字状に形成された２つの枠体（以下、それぞれを「第１枠体」、「第２枠体」という。）２ｃ，２ｄからなり、該第１及び第２枠体２ｃ，２ｄ同士を分離可能に結合させることにより構成されるものであることが好ましい。図示した第１枠体２ｃと第２枠体２ｄは、止めねじ２ｅを用いて結合され、該止めねじ２ｅを取り外すことにより、互いに分離するようになっている。
【００１０】
プレート３は、図３に示したように、板状体からなり、厚さ方向に貫通して形成された複数の差込孔３ａを有する。各差込孔３ａは、後述する各吸着材４を個々に差し込み可能であって、プレート３上に各吸着材４の配置に合わせてレイアウトされている。すなわち、各差込孔３ａは、図３（ａ）に示したように、幅方向（矢印Ｘ方向）及び奥行き方向（矢印Ｙ方向）のそれぞれで隣接するもの同士の間に間隔をおいて形成されると共に、奥行き方向（矢印Ｙ方向）に隣接するもの同士が交互に逆向きに傾斜する形でプレート３上に設けられている。
【００１１】
なお、略四角形のプレート３上に斜めに傾きを持つ差込孔３ａが形成されることにより、該プレート３上にデッドスペースができるが、容器２内により多くの吸着材４を収容するというスペース効率の観点から、かかるスペースにも差込孔３ａを形成して、デッドスペースをできるだけ小さくすることが望ましい。
【００１２】
プレート３は、それぞれ鉛直方向に略直角に折り曲げられた両側端部３ｂ，３ｃが、第１枠体２ｃの両側壁部２ｆ，２ｇ内面、第２枠体２ｄの両側壁部２ｈ，２ｉ内面に取り付けられることにより、容器２内に、高さ方向に互いに所定間隔をおいて複数配設される（図１及び図２参照）。
【００１３】
吸着材４は、空気中に含まれる臭気成分を吸着する働きをするものである。吸着材４としては、パルプ成分からなる基材に、臭気成分を吸着する粒状又は粉末の多孔性鉱物を担持させてなり、板状に成形される多孔性鉱物含有成形体から構成されたものであることが好ましい。多孔性鉱物としては、臭気成分又はこれに加えて油分或いは水分を吸収する物性を有する、活性炭などの炭素質多孔性物質やシラスバルーン、バーミュキュライト、ゼオライト、タルク、珪藻土、カオリン、セリサイト、酸性白土、活性白土、ベントナイトなどを用いることができる。特にゼオライトなどは、臭気成分、油分、水分の吸収作用が優れているので、吸着材４に含有される多孔性鉱物として好適である。パルプ成分としては、繊維質成分を用いることができる。
【００１４】
かかる多孔性鉱物含有成形体からなる吸着材４は、例えば、以下の方法により製造することができる。すなわち、まず、紙材を水に浸して攪拌することによりパルプ液をつくり、このパルプ液に、粒状又は粉末状に破砕等されたゼオライトなどの多孔性鉱物、及び必要に応じてバインダを加えて攪拌することにより、これらの混合液をつくる。バインダは、多孔性鉱物の剥離を防止すると共に、成形性を良くするために加えられるものであり、でんぷんや砂糖を用いることができる。次に、上記混合液を、抄造成形機により、その濾過面に層状に吸着させ、乾燥させることにより、多孔性鉱物を含有した板状の成形体が完成する。
【００１５】
なお、吸着材４を得るための、多孔性鉱物、パルプ成分、バインダの配合量としては、多孔性鉱物が６５〜９５重量部、パルプ成分が５〜３５重量部、バインダが３０重量部以下量の範囲で配合される。また、上記混合液をつくる際に、さらに水酸化アルミニウムや水酸化マグネシウムなどの難燃剤を加えることもできる。かかる難燃剤を配合することにより、吸着材４を燃焼し難いものとすることができるので、脱臭フィルタ１の高温下における使用が可能となる。
【００１６】
また、吸着材４としては、図４に示したように、一面に多数の凹凸を形成する凹部４ａを有するもの、図示しないが、両面に多数の凹凸を有するもの、又は図５に示したように、厚さ方向に貫通する多数の孔４ｂを有するものであることが好ましい。かかる形状の吸着材４によれば、表面積が大きいため、空気との接触率をより高めることができ、脱臭効率をさらに向上させることが可能となる。
【００１７】
吸着材４は、複数用意され、それらは容器２内において、図６に示したように、幅方向及び奥行き方向のそれぞれで隣接するもの同士の間に隙間を形成し、該隙間からなる奥行き方向の空気の通路Ｒ１が図６において点線で示したようにジグザグとなるように配設される。本実施形態においては、各吸着材４は、プレート３に設けられた各差込孔３ａに個々に差し込まれ、プレート３によって支持されることにより、上記配置にて、図１に示したように起立した姿勢で容器２内に設けられている。
【００１８】
上記のように構成される脱臭フィルタ１は、図７に示したように、空気清浄装置６に適用することができる。空気清浄装置６は、ファンなどの送風手段５により、脱臭フィルタ１の吸気口から外部の空気を取り入れ、脱臭フィルタ１を通過させることにより浄化して外部に排出する。
【００１９】
ここで、脱臭フィルタ１は、容器２内に形成される奥行き方向の空気の通路Ｒ１がジグザグとなるように各吸着材４が配設され、各吸着材４の表面が空気の流れ方向（図７において矢印で示した向）に対して正対しないように設けられているため、圧力損失を非常に少なくすることができる。従って、送風手段５として低出力のものを用いることができ、運転時の騒音や振動も小さくすることが可能である。
【００２０】
また、上述したように、臭気成分を含む空気は、容器２内を通過する際に、幅方向にて隣接する吸着材４同士の間に形成される隙間からなる奥行き方向の空気の通路Ｒ１、すなわちジグザグの通路のみならず、図６において点線で示した、奥行き方向にて隣接する吸着材４同士の間に形成される隙間からなる幅方向の空気の通路Ｒ２にも流入するため、空気と吸着材４との接触率が高く、脱臭効率を高めることができる。さらに、各吸着材４は、一面若しくは両面に多数の凹凸を形成する凹部４ａを有し、又は厚さ方向に貫通する多数の孔４ｂを有するため、これにより、各吸着材４の表面積が拡大され、空気と吸着材４との接触率をより一層高めることができ、脱臭効率のさらなる向上を図ることができる。
【００２１】
また、吸着材４が上記多孔性鉱物含有成形体から構成されたものであるため、多孔性鉱物により、臭気成分のみならず空気中に含まれる油水成分も吸着し得る。また、基材がパルプ成分からなることにより、保形性がよく、さらに基材自体も油水の吸着作用を有するため、脱臭のみならず油水の除去に優れた効果を発揮し得る。
【００２２】
また、上記プレート３を備えるため、各吸着材４が安定保持されると共に、各吸着材４を新規に或いは交換のため、上記所定のレイアウトで配置するにあたって、各吸着材４をプレート３の差込孔３ａに差し込むだけで、容器２内に容易に配設することができる。
【００２３】
さらに、容器２が、第１及び第２枠体２ｃ，２ｄ同士を分離可能に結合させることにより構成されているため、第１枠体２ｃを第２枠体２ｄから取り外して、各吸着材４を簡単に取り付け又は取り外すことができる。従って、各吸着材４の交換作業を容易なものとすることが可能である。
【００２４】
【発明の効果】
以上説明したように、本発明によれば、圧力損失を低減して送風手段の低出力化を図ることができると共に、脱臭効率が高い脱臭フィルタ及び該脱臭フィルタを具備する空気清浄装置を提供することが可能となる。
【図面の簡単な説明】
【図１】図１は、本発明の一の実施形態に係る脱臭フィルタを示す斜視図である。
【図２】図２は、上記実施形態において採用した容器及びプレートを示す正面図である。
【図３】図３は、上記実施形態において採用したプレートを示す図であり、（ａ）は平面図、（ｂ）は正面図である。
【図４】図４は、上記実施形態において採用した吸着材を示す図であり、（ａ）は正面図、（ｂ）は（ａ）のＡ−Ａ部断面図である。
【図５】図５は、吸着材の他の実施形態を示す断面図である。
【図６】図６は、上記実施形態に係る脱臭フィルタの内部構造を示す図である。
【図７】図７は、上記実施形態に係る脱臭フィルタを具備する空気清浄装置の一例を示す概念図である。
【符号の説明】
１  脱臭フィルタ
２  容器
３  プレート
４  吸着材
５  送風手段
６  空気清浄装置
【図１】
2004298316.tif 000003
【図２】
2004298316.tif 000004
【図３】
2004298316.tif 000005
【図４】
2004298316.tif 000006
【図５】
2004298316.tif 000007
【図６】
2004298316.tif 000008
【図７】
2004298316.tif 000009